(57)【要約】      （修正有）【課題】太陽光パネル等の構造物を設置するために、屋上等の下地に設けられる防水層に対し棒状締結具で支持架台を設置する場合において、充分な防水性を有する支持架台固定構造を提供する。【解決手段】台座部１に対する棒状締結具２の連結部２ａを外側から覆うように覆い部材３が設けられ、覆い部材３の貫通孔３ｈを棒状締結具２が貫通して構造物Ｄへ向け延びている状態で、覆い部材３の貫通孔３ｈよりも外側に設けられるシール部材４の収納部４ｓに、シーリング材４ｂを充填する。それにより、シーリング材４ｂが棒状締結具２の外周面２ｃと密着するため、構造物Ｄ側から雨水等が棒状締結具２の外周面２ｃを伝わって流下してもシーリング材４ｂで止水され、覆い部材３の内側に浸入しない。【選択図】図３
2014181493.tif 000002
【特許請求の範囲】
【請求項１】
下地に設けられた防水層に対して構造物を設置するために固定される支持架台の固定構造であって、
前記防水層に沿って設けられ固定具で固定される台座部と、
前記台座部に連結される連結部及び前記連結部から前記構造物へ向け延びて前記構造物の支持部を有する棒状締結具と、
前記台座部に対する前記棒状締結具の前記連結部を覆うように設けられて前記棒状締結具が貫通する貫通孔を有する覆い部材と、
前記覆い部材の前記貫通孔の外側に設けられて前記覆い部材及び前記棒状締結具の外周面と密着するシール部材と、を備え、
前記シール部材は、前記棒状締結具が貫通する通孔と、前記通孔の周囲に設けられる環状の収納部を有するリングと、前記収納部に充填されるシーリング材とで構成されることを特徴とする支持架台固定構造。
【請求項２】
前記覆い部材及び前記リングの外表面が耐水性の被覆層で被覆されることを特徴とする請求項１記載の支持架台固定構造。
【請求項３】
前記収納部を前記棒状締結具の軸方向へ複数に分割し、それぞれに前記シーリング材として異なる性能のシーリング材が封入されていることを特徴とする請求項１又は２記載の支持架台固定構造。
【請求項４】
前記収納部の内部に仕切板を設けて複数に分割することを特徴とする請求項３記載の支持架台固定構造。
【発明の詳細な説明】
【技術分野】
【０００１】
本発明は、屋上、ベランダ、屋根等の下地に設けられる防水層に対して、太陽光パネル、広告設備、フェンス等からなる構造物を設置するために用いられる支持架台固定構造に関する。
【背景技術】
【０００２】
屋上、ベランダ、屋根等には通常、防水層が設けられており、この防水層の上に太陽光パネル、広告設備、フェンス等の設置物を設置する場合には、防水性を損なうことなく設置物を確実に設置固定することが求められる。従来からこの様な設置物の設置にはコンクリート製や樹脂製や金属製の支持架台が用いられている。
そして、樹脂製や金属製の支持架台は、構造躯体に防水層を貫通するボルト等を打設し、固定する方法が用いられている。
【０００３】
このような支持架台の固定構造として、架台の底部に突出形成される取付片のビス孔に、ビスを上方から挿通し、野地板及び母屋にビス止めされ、このビスの頭を防水鋼板の端部で覆うとともに、防水鋼板の端部を架台に固定する。架台に架台カバーを被せて防水鋼板の端部と架台との間に生じる隙間を上方から覆うことで、防水性の向上を図っている。さらに架台内に所定の間隔をあけて配されている止め金具と連結金具に亘り連結ボルトが挿通され、この連結ボルトが締め付けられることで太陽電池モジュールを架台に固定する屋根の防水構造がある（例えば、特許文献１参照）。
【先行技術文献】
【特許文献】
【０００４】
【特許文献１】特開平１０−３１７６０３号公報
【発明の概要】
【発明が解決しようとする課題】
【０００５】
しかし乍ら、このような従来の支持架台固定構造では、架台の上面に連結ボルトを貫通して設けているが、連結ボルトと架台との接合部には防水処理が施されていないため、この連結ボルト等を伝わって雨水等が架台の内部に侵入することがある。
このような場合には、架台の内部から雨水が溢れ出て、架台の取付片と防水鋼板の端部との隙間に入り込み、ビスと野地板及び母屋の間に生じる僅かな隙間からビスを伝わって屋内側に漏水するという危険性があった。
また、連結ボルトや架台が金属製である場合には、特に雨水等が溜まり易い連結ボルトの貫通接合部に錆が発生し、架台や構造物の寿命を著しく損なう原因となるばかりでなく、メンテナンス作業が行い難くなって、構造物の維持管理コストが高くなるという問題もあった。
【０００６】
本発明は、このような問題に対処することを課題とするものであり、太陽光パネル等の構造物を設置するために、屋上等の下地に設けられる防水層に対し棒状締結具で支持架台を固定する場合において、充分な防水性を有する支持架台固定構造を提供すること、などを目的とするものである。
【課題を解決するための手段】
【０００７】
このような目的を達成するために本発明は、下地に設けられた防水層に対して構造物を設置するために固定される支持架台の固定構造であって、前記防水層に沿って設けられ固定具で固定される台座部と、前記台座部に連結される連結部及び前記連結部から前記構造物へ向け延びて前記構造物の支持部を有する棒状締結具と、前記台座部に対する前記棒状締結具の前記連結部を覆うように設けられて前記棒状締結具が貫通する貫通孔を有する覆い部材と、前記覆い部材の前記貫通孔の外側に設けられて前記覆い部材及び前記棒状締結具の外周面と密着するシール部材と、を備え、前記シール部材は、前記棒状締結具が貫通する通孔と、前記通孔の周囲に設けられる環状の収納部を有するリングと、前記収納部に充填されるシーリング材とで構成されることを特徴とする。
【発明の効果】
【０００８】
前述した特徴を有する本発明は、台座部に対する棒状締結具の連結部を外側から覆うように覆い部材が設けられ、覆い部材の貫通孔を棒状締結具が貫通して構造物へ向け延びている状態で、覆い部材の貫通孔よりも外側に設けられるシール部材の収納部に、シーリング材を充填することにより、シーリング材が棒状締結具の外周面と密着するため、構造物側から雨水等が棒状締結具の外周面を伝わって流下してもシーリング材で止水され、覆い部材の内側に浸入しない。
したがって、棒状締結具の貫通箇所からの漏水を防止することが可能な支持架台固定構造を提供することができる。
その結果、架台の上面を貫通する連結ボルトと架台との接合部に防水処理が施されていない従来のものに比べ、下地の内側に雨水等が浸透したり滲出したりせず、漏水の危険を回避することができて安全であり、棒状締結具の貫通箇所における止水性能を長期間に亘って充分に確保できる。
さらに、覆い部材の貫通孔よりも外側で雨水等が完全に止水されるため、覆い部材の内部に錆が発生せず、支持架台の耐久性を長期にわたり維持できる。
【図面の簡単な説明】
【０００９】
【図１】本発明の実施形態に係る支持架台固定構造の全体構成を示す一部切欠正面図である。
【図２】同平面図である。
【図３】要部を部分拡大した縦断正面図である。
【発明を実施するための形態】
【００１０】
以下、本発明の実施形態を図面に基づいて詳細に説明する。
本発明の実施形態に係る支持架台Ａの固定構造（支持架台固定構造）は、図１〜図３に示すように、屋上、ベランダ、屋根等からなる下地Ｂに設けられた防水層Ｃに対して、太陽光パネル等の構造物Ｄを設置するため、構造物Ｄが支持される支持架台Ａを下地Ｂ及び防水層Ｃに固定するものである。
支持架台Ａは、後述する下地Ｂ及び防水層Ｃに沿って設けられる台座部１と、台座部１から構造物Ｄへ向け延びるように設けられる棒状締結具２と、台座部１に対する棒状締結具２の連結部２ａを外側から覆うように設けられて棒状締結具２が貫通する貫通孔３ｈを有する覆い部材３と、覆い部材３の貫通孔３ｈの外側に設けられて覆い部材３及び棒状締結具２の外周面２ｃと密着するシール部材４と、を主要な構成要素として備えている。
【００１１】
台座部１は、金属、合成樹脂、木等の硬質材料で、正方形や長方形や矩形プレート状又は円形や楕円形状の円盤状若しくは長尺な帯状の板状に形成され、下地Ｂ及び防水層Ｃと対向するように配置される。
台座部１の材料としては、強度や耐久性の点から金属製が好ましい。特に、例えばステンレスや、亜鉛・アルミニウム・マグネシウムメッキまたは亜鉛メッキ等の防錆処理が施された鋼板等、多湿状態でも錆び難い鋼鈑が好ましい。
また、台座部１の外表面には、例えばディッピング加工等によってポリ塩化ビニル樹脂等の熱可塑性樹脂又はその他の材料からなる被覆層１ａを設けることが好ましい。
【００１２】
さらに、台座部１には、後述する下地Ｂ及び防水層Ｃに挿入して止着するための固定具１ｂが挿通される係止孔１ｃを有している。
係止孔１ｃは、台座部１の表面から下地Ｂと対向する裏面へ向け貫通開穿される。
固定具１ｂは、ビス、ボルトや釘等で構成され、台座部１の表面側から防水層Ｃを貫通して下地Ｂへ挿入させることにより、下地Ｂに止着される。固定具１ｂの材質としては、炭素鋼、合金鋼、ステンレス鋼等の鋼材等が使用できる。
固定具１ｂ及び係止孔１ｃの位置及び数は、支持架台Ａの全体を下地Ｂ及び防水層Ｃに対し確実に固定可能であれば制限されず、より強固にかつ効率的に支持架台Ａの全体を下地Ｂ及び防水層Ｃに固定するため、複数個それぞれ所定間隔毎に配置することか好ましい。固定具１ｂ及び係止孔１ｃの配置例としては、台座部１の中心から同心円上に複数を配置することが好ましい。
また、固定具１ｂの頭部形状と係止孔１ｃの形状は、固定具１ｂの頭部が台座部１の表面から突出しないように頭部と対応した形状の座繰りを設け、頭部の外形状を皿、平、なべがよく、ドライバーやレンチ等の工具と係合する溝（図示しない）の形状は、十字穴、六角穴、四角穴が好ましい。
【００１３】
また、台座部１において後述する構造物Ｄと対向する表面には、棒状締結具２が構造物Ｄに向けて上向きに突出するように設けられ、棒状締結具２に対して構造物Ｄを取り付け固定している。
棒状締結具２は、炭素鋼、合金鋼、ステンレス鋼等の鋼材か又はその他の硬質材料で円柱状に形成され、その一端に台座部１に対する連結部２ａを形成し、他端側に構造物Ｄを所定高さ位置に固定するための支持部２ｂが形成されている。棒状締結具２としては、上述した硬質材料からなるボルトやビス等のネジを用いることが好ましい。より詳細には、棒状締結具２としてＴボルト、アイボルト、チョウボルト、フックボルト等を用いることができる。棒状締結具２がボルトである場合において、その外径は、構造物Ｄを安定的に固定できる程度であればよいが、５〜５０ｍｍ程度のものを使用することができる。
【００１４】
台座部１及び棒状締結具２の具体例としては、図１〜図３に示されるように、台座部１と棒状締結具２がそれぞれ別部品で構成され、台座部１の略中央位置にナット部１ｄを固着して、棒状締結具２の連結部２ａをねじ込むことにより、台座部１と棒状締結具２が一体的に連結固定されている。より詳細には、ナット部１ｄに対しスプリングワッシャー１ｅを挟んでナット１ｆが螺着されて緩み止めしている。
また、その他の例として図示しないが、台座部１と棒状締結具２を一体形成したり、台座部１の表面において略中央位置以外の箇所に棒状締結具２を配置したりすることも可能である。
【００１５】
覆い部材３は、棒状締結具２の軸方向へ延びる筒状の脚部３ａと、脚部３ａの一端開口を塞ぐように設けられる天板部３ｂを有している。
脚部３ａ及び天板部３ｂの外表面には、例えばディッピング加工等によって耐水性に優れたポリ塩化ビニル樹脂等の熱可塑性樹脂又はその他の材料からなる被覆層３ｃを設けることが好ましい。
天板部３ｂには、棒状締結具２を貫通させるための貫通孔３ｈが開穿されている。
覆い部材３の具体例としては、図１〜図３に示されるように、脚部３ａが円筒状に形成されている。
また、その他の例として図示しないが、脚部３ａを断面三角形、断面四角形又は断面多角形に形成することも可能である。
【００１６】
シール部材４は、覆い部材３の天板部３ｂと隣接する位置に、覆い部材３の貫通孔３ｈと連続して棒状締結具２が挿通するリング状に形成され、このリング４ａの内部には、シーリング材４ｂが充填される環状の収納部４ｓを有している。
すなわち、シール部材４は、棒状締結具２が貫通する通孔４ｈと、通孔４ｈの周囲に設けられる環状の収納部４ｓを有するリング４ａと、収納部４ｓに充填されるシーリング材４ｂとで構成される。
リング４ａは、その一端開口が覆い部材３の天板部３ｂと接して塞がるように配置される。リング４ａの外表面には、例えばディッピング加工等によって耐水性に優れたポリ塩化ビニル樹脂等の熱可塑性樹脂又はその他の材料からなる被覆層を設けることが好ましい。
図１〜図３に示される例では、リング４ａの一端開口と覆い部材３の天板部３ｂと接するように取り付けられた状態で、両者の境界部分には、端末部処理として例えばブチルゴム系や変性シリコーン系等の材料からなるシーラー３ｄを塗布することにより、両者の隙間をシールしている。
また、その他の例として図示しないが、リング４ａと覆い部材３を一体形成して、その外表面に被覆層を設けることも可能である。
【００１７】
ここでシーリング材４ｂは、定形シーリング材や不定形シーリング材を用いることができる。定形シーリング材としては、合成ゴム等を成形して得られたひも状、シート状のシーリング材がある。定形シーリング材の材料としては、シリコーンゴム系、クロロプレンゴム系、ブチルゴム系、エチレンプロピレンゴム系等を用いることができる。
不定形シーリング材は、ペースト状等の流動性を有するシーリング材である。収納部４ｓに充填し易く、且つ密に充填することができるために流動性を有するシーリング材である不定形シーリング材を用いることが好ましい。
不定形シーリング材の材料としては、シリコーン系、変性シリコーン系、ポリサルファイド系、アクリルウレタン系、ポリウレタン系、変性ポリサルファイド系、アクリル系、ＳＢＲ系、ブチルゴム系、ポリイソブチレン系等のシーリング材を目的に応じて使用することができる。不定形シーリング材は、収納部４ｓにシーリングガン等を用い注入することができる。
【００１８】
また、リング４ａの他端開口には、蓋板４ｃが設けられ、蓋板４ｃによってリング４ａの他端開口を塞ぐことで、収納部４ｓが密閉される。
蓋板４ｃは、例えばステンレスなどの錆難い金属等で形成される平座金であり、その中央には、棒状締結具２が貫通する孔が開穿されている。
棒状締結具２の軸方向へ蓋板４ｃを挟んでリング４ａと反対側には、高分子パッキン等からなる環状シール材５とナット６が設けられ、棒状締結具２の外周面２ｃにナット６を螺合させて締め付けることにより、覆い部材３の天板部３ｂとリング４ａの一端開口とを密着し、リング４ａの他端開口と蓋板４ｃとを密着し、蓋板４ｃと環状シール材５とを密着して、それぞれ止水するように構成されている。図１〜図３に示される例のように、環状シール材５とナット６の間にスプリングワッシャー７を挿入してもよい。
【００１９】
一方、下地Ｂは、デッキプレート等の金属下地やコンクリート、軽量発泡コンクリート（ＡＬＣ）、折板屋根、瓦棒屋根等を使用することができる。その上には、必要に応じて断熱材や絶縁シートや不燃板をさらに敷設して用いることも可能である。
断熱材は、ポリスチレンフォーム、硬質ウレタンフォーム、フェノールフォーム、ポリエチレン、ポリプロピレン等のポリオレフィンフォーム等が使用できる。
下地Ｂの具体例としては、金属製のデッキプレートＢ１が使用され、その上に断熱材Ｂ２と絶縁シートＢ３を順次敷設している。絶縁シートＢ３は、その上に設けられる防水層Ｃがポリ塩化ビニル樹脂製防水シートで構成されている場合に、ポリ塩化ビニル樹脂製防水シートに含まれる可塑剤が断熱材Ｂ２に移行するのを防止する目的で配置されている。
また、その他の例として図示しないが、下地Ｂとしてこれらの構成以外に、目的に応じて緩衝用シート等を敷設したり、金属製のデッキプレートＢ１に代えて、それ以外の金属下地やコンクリート下地等に変更したりすることも可能である。
【００２０】
さらに、下地Ｂが屋上、ベランダ、屋根等の場合には防水層Ｃが設けられている。
防水層Ｃは、熱可塑性樹脂製の防水シート、加硫ゴムシート、非加硫ゴムシートや、その他の合成樹脂からなる防水シート、又はアスファルト、ウレタン塗膜を用いることができる。防水層Ｃとなる防水シートは、単層でも良いが、寸法安定性、引張強度に優れるという点からガラスクロス、不織布等の基材層を積層した複層品が好ましい。防水層Ｃの基材層は、最下層に設けても良いが熱可塑性樹脂層の中間に設けても良い。
図１〜図３に示される例では、絶縁シートＢ３の上に例えばポリ塩化ビニル樹脂等の熱可塑性樹脂からなる防水シートＣ１が敷設され、その上に支持架台Ａの台座部１を載置する。その後、台座部１の係止孔１ｃからビス等の固定具１ｂを挿入して、防水シートＣ１、絶縁シートＢ３、断熱材Ｂ２及びデッキプレートＢ１を貫通させ、その先端にナット１ｄを螺着することで固定している。その後、台座部１の上面と防水シートＣ１に亘って、例えばポリ塩化ビニル樹脂等の熱可塑性樹脂からなる増し貼り防水シートＣ２を敷設することにより、台座部１の上面を覆って止水している。
特に、台座部１の外表面に形成される被覆層１ａと、それと接する増し貼り防水シートＣ２の材料をポリ塩化ビニル樹脂等の同質材料にした場合には、台座部１の被覆層１ａと増し貼り防水シートＣ２の表面を溶剤溶着や熱融着により接合できるという利点がある。
【００２１】
また、構造物Ｄは、屋上、ベランダ、屋根等に設置される太陽光パネル、広告設備、フェンス又はその架台等からなる。
構造物Ｄが太陽光パネルである場合には、板状に作製される太陽光モジュールやシート状に作製される薄膜太陽光モジュール、又はそれを支える架台やベースレール等が設置対象物となる。
図１〜図３に示される例では、棒状締結具２においてナット６の螺着箇所よりも先端側に配置される支持部２ｂに、構造物Ｄとして太陽光モジュールのベース材を挿通し、一対のナット８ａ、平座金８ｂ及びスプリングワッシャー８ｃとの間に挟み込んで、ベース材が所定高さ位置に固定されている。
【００２２】
このような本発明の実施形態に係る支持架台固定構造によると、下地Ｂ及び防水層Ｃに支持架台Ａの台座部１を固定具１ｂで固定した後に、台座部１から上向き起立する棒状締結具２に対し、台座部１との連結部２ａを外側から覆うように覆い部材３が取り付けられ、覆い部材３の貫通孔３ｈを棒状締結具２が貫通して構造物Ｄへ向け延びている状態で、覆い部材３の貫通孔３ｈよりも外側に設けられるシール部材４の収納部４ｓに、シーリング材４ｂを充填する。その後、棒状締結具２に対して、蓋板４ｃ、環状シール材５及びナット６等を挿通させ、ナット６の締め付けで収納部４ｓを密閉し、支持部２ｂに構造物Ｄを固定する。
それにより、収納部４ｓ内のシーリング材４ｂが棒状締結具２の外周面２ｃと密着するため、構造物Ｄ側から雨水等が棒状締結具２の外周面２ｃを伝わって流下してもシーリング材４ｂで止水され、覆い部材３の内側に浸入しない。
したがって、棒状締結具２の貫通箇所からの漏水を防止することが可能な支持架台固定構造を提供することができる。
その結果、下地Ｂの内側に雨水等が浸透したり滲出したりせず、漏水の危険を回避することができて安全であり、棒状締結具２の貫通箇所における止水性能を長期間に亘って充分に確保できる。
さらに、覆い部材３の貫通孔３ｈよりも外側で雨水等が完全に止水されるため、覆い部材３の内部に錆が発生せず、支持架台Ａの耐久性を長期にわたり維持できる。
【００２３】
特に、覆い部材３及びリング４ａの外表面が耐水性の被覆層で被覆される場合には、覆い部材３やリング４ａの劣化や腐食を防止することができる。
その結果、覆い部材３やリング４ａの劣化や腐食による一次的な止水を長期に亘って防止できる。
さらに、図示例のように、リング４ａの一端開口と覆い部材３の天板部３ｂが接する境界部分に、端末部処理としてブチルゴム系や変性シリコーン系等からなるシーラー３ｄを塗布した場合には、両者の接合部からの漏水を防止して一次的な止水も行える。
また、蓋板４ｃとナット６の間に環状シール材５として高分子パッキン等を挟み込んだ場合には、蓋板４ｃの接合部から収納部４ｓへの漏水を防止して一次的な止水も行える。
したがって、このような一次的な止水と、シーリング材４ｂによる二次的な止水を組み合わせることで、長期的な止水性能を期待できる。
また、シーリング材４ｂの交換や環状シール材５の交換などのメンテナンス作業も容易である。それにより、構造物の維持管理コストを節約できる。
【実施例】
【００２４】
次に、本発明の一実施例を図面に基づいて説明する。
この実施例は、図１〜図３に示すように、シール部材４の収納部４ｓを、棒状締結具２の軸方向へ複数に分割し、それぞれにシーリング材４ｂとして異なる性能を有する複数種類のシーリング材４１ｂ，４２ｂを別々に封入したものである。
より詳細には、収納部４ｓの内部に仕切板４ｄを設けて複数に分割している。
【００２５】
図１及び図３に示される例では、収納部４ｓを、蓋板４ｃ側に配置される第１収納部４１ｓと、覆い部材３の天板部３ｂ側に配置される第２収納部４２ｓに分割し、第１収納部４１ｓには、変性シリコーン系の材料からなる第１シーリング材４１ｂが封入され、第２収納部４２ｓには、ブチルゴム系等の材料からなる第２シーリング材４２ｂが封入されている。
さらに、第２収納部４２ｓには、リング４ａの内側に、リング４ａよりも小径で高さが短い第２リング４２ａを挿入することで、リング４ａ内の所定高さ位置（中間位置）に仕切板４ｄが支持されている。
また、その他の例として図示しないが、第１シーリング材４１ｂとして変性シリコーン系とは異なる材料を用いたり、第２シーリング材４２ｂとしてブチルゴム系とは異なる材料を用いたり、リング４ａの内側面に段部を形成するなど、第２リング４２ａを用いずにリング４ａ内の所定高さ位置に仕切板４ｄが支持されるようにすることも可能である。
【００２６】
このような本発明の実施例に係る支持架台固定構造によると、配置場所に応じた特性を有するシーリング材４１ｂ，４２ｂをそれぞれ最適な環境にセットすることができる。
例えば蓋板４ｃ側の第１収納部４１ｓに変性シリコーン系の第１シーリング材４１ｂを封入すると、変性シリコーン系の第１シーリング材４１ｂは耐寒性に優れるため、気温が低下しても防水処理が行える。覆い部材３の天板部３ｂ側の第２収納部４２ｓにブチルゴム系の第２シーリング材４２ｂを封入すると、ブチルゴム系の第２シーリング材４２ｂは金属密着性にすぐれるために、より安定的に防水処理が行えるという利点がある。
さらに、二次的な防水処理として第１シーリング材４１ｂが充填され、三次的な防水処理として第２シーリング材４２ｂが充填されているため、前述した一次的な止水と組み合わせることによって水密性が向上し、棒状締結具２の外周面２ｃを伝わって雨水等が侵入するのを完全に防ぐことができる。
【００２７】
特に、収納部４ｓの内部に仕切板４ｄを設けて複数に分割する場合には、第１収納部４１ｓと第２収納部４２ｓにそれぞれ封入されたシーリング材４１ｂ，４２ｂが仕切板４ｄで混ざり合うことがない。
したがって、異なる性能のシーリング材４１ｂ，４２ｂによる特性を長期に亘って維持することができるという利点がある。
【００２８】
また、図示例のように、リング４ａの内側にリング４ａよりも小径で高さが短い第２リング４２ａを挿入して、リング４ａ内の所定高さ位置に仕切板４ｄを支持すれば、リング４ａの内側を極めて簡単な構造で複数に分割でき、製造コストの低減化が図れるという利点がある。
【００２９】
なお、図示例では、収納部４ｓを第１収納部４１ｓと第２収納部４２ｓに分割したが、これに限定されず、三つ以上に分割して、少なくとも隣り合う位置にそれぞれ異なる性能を有する複数種類のシーリング材を封入しても良い。
【符号の説明】
【００３０】
Ａ  支持架台                            １  台座部
１ｂ  固定具                            ２  棒状締結具
２ａ  連結部                            ２ｂ  支持部
３  覆い部材                            ３ｈ  貫通孔
４  シール部材                          ４ａ  リング
４ｂ，４１ｂ，４２ｂ  シーリング材      ４ｄ  仕切板
４ｈ  通孔                              ４ｓ  収納部
Ｂ  下地                                Ｃ  防水層
Ｄ  構造物
【図１】
2014181493.tif 000003
【図２】
2014181493.tif 000004
【図３】
2014181493.tif 000005